(57)【要約】【課題】  体形補整部材付きパンツにおいて、着用・脱衣が極めて容易であるにも関わらず、着用するだけで臀部の弛みを引き上げてヒップアップでき、パンツの表側に皺等がよるのを防いで見栄えを損なわないこと。【解決手段】  体形補整部材付きパンツ１は、サテンネットからなる第１ヨーク部材４Ａ，４Ｂ、第２ヨーク部材５Ａ，５Ｂが縫付けられたサテンネットからなる体形補整部材３がＧパン２の内側に縫付けられてなるため、表返して着用すると体形補整部材３でヒップが締め付けられ持上げられ、第１ヨーク部材４Ａ，４Ｂ及び第２ヨーク部材５Ａ，５Ｂでヒップが締め付けられ持上げられる効果がさらに強力になり、ヒップの丸みがより強調されるとともにヒップアップの効果がより顕著に得られ、前身頃２Ａには何の部材も取付けられていないため、着用・脱衣が極めて容易である。【選択図】        図１
2006299436.tif 000002
【特許請求の範囲】
【請求項１】
伸縮性生地からなりガードルの後半分の形状を有する体形補整部材と、該体形補整部材の表側または裏側に左右対称に縫付けられた伸縮性生地からなる１対の第１ヨーク部材とを具備する体形補整部材付きパンツであって、
該第１ヨーク部材は上端が前記体形補整部材の上端に達するとともに下方部分が拡がって前記体形補整部材表側または裏側の脚部の後部付け根部分を覆うように縫付けられ、
前記体形補整部材は、パンツのウエストベルト内側の後半分と前記パンツの両脇部分内側と前記パンツの股下部分内側とにおいて、前記パンツの内側に縫付けられていることを特徴とする体形補整部材付きパンツ。
【請求項２】
伸縮性生地からなりガードルの後半分の形状を有する体形補整部材と、該体形補整部材の表側または裏側に前記体形補整部材の脚部の付け根部分に左右対称に縫付けられた伸縮性生地からなる１対の第２ヨーク部材とを具備する体形補整部材付きパンツであって、
前記体形補整部材は、パンツのウエストベルト内側の後半分と前記パンツの両脇部分内側と前記パンツの股下部分内側とにおいて、前記パンツの内側に縫付けられていることを特徴とする体形補整部材付きパンツ。
【請求項３】
伸縮性生地からなりガードルの後半分の形状を有する体形補整部材と、該体形補整部材の表側または裏側に左右対称に縫付けられた伸縮性生地からなる１対の第１ヨーク部材と、前記体形補整部材の表側または裏側に前記体形補整部材の脚部の付け根部分に左右対称に縫付けられた伸縮性生地からなる１対の第２ヨーク部材とを具備する体形補整部材付きパンツであって、
前記第１ヨーク部材は上端が前記体形補整部材の上端に達するとともに下方部分が拡がって前記体形補整部材表側または裏側の脚部の後部付け根部分を覆うように縫付けられ、
前記体形補整部材は、パンツのウエストベルト内側の後半分と前記パンツの両脇部分内側と前記パンツの股下部分内側とにおいて、前記パンツの内側に縫付けられていることを特徴とする体形補整部材付きパンツ。
【請求項４】
前記体形補整部材と前記第１ヨーク部材との間に挟み込まれ、両端を前記体形補整部材に縫付けられた伸縮性生地からなる１対の第１引張り部材を具備することを特徴とする請求項１または請求項３に記載の体形補整部材付きパンツ。
【請求項５】
前記体形補整部材と前記第２ヨーク部材との間に挟み込まれ、両端を前記体形補整部材に縫付けられた伸縮性生地からなる１対の第２引張り部材を具備することを特徴とする請求項２または請求項３に記載の体形補整部材付きパンツ。
【請求項６】
前記パンツの前後方向股下部分内側の両側及び左右方向股下部分内側に縫付けられた略三角形状の１対のまたは一体の前シック布を具備し、
前記１対の第２ヨーク部材の股下側先端部分、または前記１対の第２ヨーク部材の股下側先端部分及び前記１対の第２引張り部材の股下側先端部分が前記体形補整部材から前方に突出して、前記前シック布の前記パンツの内側に縫付けられていない部分に縫付けられており、
前記１対の第２ヨーク部材の股下側先端部分、または前記１対の第２ヨーク部材の股下側先端部分及び前記１対の第２引張り部材の股下側先端部分が前記体形補整部材から前方に突出している部分においては、前記体形補整部材が前記パンツの内側の左右方向股下部分に縫付けられていないことを特徴とする請求項２乃至請求項５のいずれか１つに記載の体形補整部材付きパンツ。
【請求項７】
前記１対の第２ヨーク部材の先端部分が前記１対のまたは一体の前シック布の最前部に縫付けられていることを特徴とする請求項６に記載の体形補整部材付きパンツ。
【請求項８】
前記１対のまたは一体の前シック布の前記パンツの内側に縫付けられていない部分はバイアスになっていることを特徴とする請求項６または請求項７に記載の体形補整部材付きパンツ。
【請求項９】
前記体形補整部材が前記パンツの両脇部分内側に縫付けられる際に、前記パンツの両脇部分において前記体形補整部材にキセを設けたことを特徴とする請求項１乃至請求項８のいずれか１つに記載の体形補整部材付きパンツ。
【請求項１０】
前記１対の第２ヨーク部材の脇側先端部分、または前記１対の第２ヨーク部材の脇側先端部分及び前記１対の第２引張り部材の脇側先端部分が前記体形補整部材から前方に大きく突出して前記パンツの前中心内側に縫付けられており、
前記１対の第２ヨーク部材の脇側先端部分が前記体形補整部材から突出する部分においては前記体形補整部材が前記パンツの両脇部分内側に縫付けられていないことを特徴とする請求項２乃至請求項９のいずれか１つに記載の体形補整部材付きパンツ。
【請求項１１】
前記１対の第２ヨーク部材の脇側先端部分、または前記１対の第２ヨーク部材の脇側先端部分及び前記１対の第２引張り部材の脇側先端部分が前記体形補整部材から前方に大きく突出して、
前記１対の脇側先端部分に１対の調節機能付き接続具が取付けられており、
前記１対の脇側先端部分は前記パンツの前中心近傍内側において１対のストッパ部材により吊り下げ支持されており、
前記１対の第２ヨーク部材の脇側先端部分、または前記１対の第２ヨーク部材の脇側先端部分及び前記１対の第２引張り部材の脇側先端部分は、前記１対の調節機能付き接続具によって引き締め力を調節しながら接続可能に構成されており、
前記１対の第２ヨーク部材の脇側先端部分が前記体形補整部材から突出する部分においては前記体形補整部材が前記パンツの両脇部分内側に縫付けられていないことを特徴とする請求項２乃至請求項９のいずれか１つに記載の体形補整部材付きパンツ。
【請求項１２】
前記１対の第２引張り部材の股下側先端部分及び／または脇側先端部分が前記１対の第２ヨーク部材の股下側先端部分及び／または脇側先端部分よりも短く、前記１対の第２ヨーク部材の途中に縫付けられていることを特徴とする請求項５乃至請求項１１のいずれか１つに記載の体形補整部材付きパンツ。
【請求項１３】
前記第１引張り部材及び／または前記第２引張り部材の中間部分には１対以上の枝部分が設けられており、前記枝部分は前記体形補整部材、前記第２ヨーク部材、または前記第１ヨーク部材の表側または裏側に縫付けられていることを特徴とする請求項４乃至請求項１２のいずれか１つに記載の体形補整部材付きパンツ。
【請求項１４】
前記体形補整部材の股下部分の後中心左右に一端が縫付けられた伸縮性生地からなる１対の帯状部材を具備し、
前記帯状部材は前記体形補整部材の股下部分から前記パンツ内側の前方へ出て、前記パンツ内側の左右脚部付け根部分を一周し、前記体形補整部材の左右脚部に縫付けられ、再び前記パンツ内側の股下部分から前方へ出て前記パンツ内側の前中心両側に沿って上方へ上り、他端が前記パンツ内側の上端に縫付けられていることを特徴とする請求項１乃至請求項１３のいずれか１つに記載の体形補整部材付きパンツ。
【請求項１５】
前記伸縮性生地はサテンネット（ストレッチサテン）、パワーネット、ストレッチネット、ストレッチレースのいずれかであることを特徴とする請求項１乃至請求項１４のいずれか１つに記載の体形補整部材付きパンツ。
【発明の詳細な説明】
【技術分野】
【０００１】
本発明は、ズボン、Ｇパン、スラックス、短パン等のパンツの内側後半分に伸縮性生地からなる体形補整部材を取付けて締め付けることによって、着用するだけで臀部の弛みを引き上げてヒップアップさせることができ、しかもパンツの表側に皺等がよるのを防いで見栄えを損なうことがない体形補整部材付きパンツに関するものである。
【背景技術】
【０００２】
従来、特に女性の場合は、下半身の体形を補整するために下着としてガードルを着用し、その上にズボン（パンツ、スラックス）やスカート等のボトムズを着用するが、これらのガードルとズボン（パンツ、スラックス）やスカート等のボトムズを別々に着用することは煩雑である。そこで、特許文献１にかかる考案（登録実用新案）においては、ガードルをスラックスに組み合わせて一体化したヒップアップ用矯正スラックスが開示されている。さらに、特許文献２にかかる特許発明においては、着用する際のファスナー部分のつっぱりをなくしてファスナーをスムーズに開閉でき、ウエスト周りのひきつりをなくし、かつ腹部の出っ張りとヒップの矯正をすることができる矯正用ガードル付きパンツ及びスカートが開示されている。
【特許文献１】登録実用新案公報第３００８６１６号
【特許文献２】特許公報第２６７０５６７号
【発明の開示】
【発明が解決しようとする課題】
【０００３】
しかしながら、上記特許文献１及び特許文献２に記載された技術においては、矯正用ガードルがパンツ等と一体になって縫付けられているため、矯正用ガードルの締め付け力のためにパンツ等の着脱に時間がかかるとともに、矯正用ガードルの弾力性及び伸縮性が表地に響いてパンツ等の各部に皺を生じ、見栄えを損ねるという問題点があった。また、近年は、女性のみでなく男性にも美しいプロポーションを得たいという要求が強くなる傾向にある。
【０００４】
そこで、本発明は、ズボン・パンツ・スラックス・パンタロン・Ｇパン・短パン・オーバーオール等のパンツの内側後半分に伸縮性生地からなる体形補整部材を取付けて締め付けることによって、着用・脱衣が極めて容易であるにも関わらず、着用するだけで臀部の弛みを引き上げてヒップアップさせることができ、さらに太ももをスリムにする効果をも具備し、しかもパンツの表側に皺等がよるのを防いで見栄えを損なうことがない男性用及び女性用の体形補整部材付きパンツの提供を課題とするものである。
【課題を解決するための手段】
【０００５】
請求項１の発明にかかる体形補整部材付きパンツは、伸縮性生地からなりガードルの後半分の形状を有する体形補整部材と、該体形補整部材の表側または裏側に左右対称に縫付けられた伸縮性生地からなる１対の第１ヨーク部材とを具備する体形補整部材付きパンツであって、該第１ヨーク部材は上端が前記体形補整部材の上端に達するとともに下方部分が拡がって前記体形補整部材表側または裏側の脚部の後部付け根部分を覆うように縫付けられ、前記体形補整部材は、パンツのウエストベルト内側の後半分と前記パンツの両脇部分内側と前記パンツの股下部分内側とにおいて、前記パンツの内側に縫付けられているものである。
【０００６】
請求項２の発明にかかる体形補整部材付きパンツは、伸縮性生地からなりガードルの後半分の形状を有する体形補整部材と、該体形補整部材の表側または裏側に前記体形補整部材の脚部の付け根部分に左右対称に縫付けられた伸縮性生地からなる１対の第２ヨーク部材とを具備する体形補整部材付きパンツであって、前記体形補整部材は、パンツのウエストベルト内側の後半分と前記パンツの両脇部分内側と前記パンツの股下部分内側とにおいて、前記パンツの内側に縫付けられているものである。
【０００７】
請求項３の発明にかかる体形補整部材付きパンツは、伸縮性生地からなりガードルの後半分の形状を有する体形補整部材と、該体形補整部材の表側または裏側に左右対称に縫付けられた伸縮性生地からなる１対の第１ヨーク部材と、前記体形補整部材の表側または裏側に前記体形補整部材の脚部の付け根部分に左右対称に縫付けられた伸縮性生地からなる１対の第２ヨーク部材とを具備する体形補整部材付きパンツであって、前記第１ヨーク部材は上端が前記体形補整部材の上端に達するとともに下方部分が拡がって前記体形補整部材表側または裏側の脚部の後部付け根部分を覆うように縫付けられ、前記体形補整部材は、パンツのウエストベルト内側の後半分と前記パンツの両脇部分内側と前記パンツの股下部分内側とにおいて、前記パンツの内側に縫付けられているものである。
【０００８】
請求項４の発明にかかる体形補整部材付きパンツは、請求項１または請求項３の構成において、前記体形補整部材と前記第１ヨーク部材との間に挟み込まれ、両端を前記体形補整部材に縫付けられた伸縮性生地からなる１対の第１引張り部材を具備するものである。
【０００９】
請求項５の発明にかかる体形補整部材付きパンツは、請求項２または請求項３の構成において、前記体形補整部材と前記第２ヨーク部材との間に挟み込まれ、両端を前記体形補整部材に縫付けられた伸縮性生地からなる１対の第２引張り部材を具備するものである。
【００１０】
請求項６の発明にかかる体形補整部材付きパンツは、請求項２乃至請求項５のいずれか１つの構成において、前記パンツの前後方向股下部分内側の両側及び左右方向股下部分内側に縫付けられた略三角形状の１対のまたは一体の前シック布を具備し、前記１対の第２ヨーク部材の股下側先端部分、または前記１対の第２ヨーク部材の股下側先端部分及び前記１対の第２引張り部材の股下側先端部分が前記体形補整部材から前方に突出して、前記前シック布の前記パンツの内側に縫付けられていない部分に縫付けられており、前記１対の第２ヨーク部材の股下側先端部分、または前記１対の第２ヨーク部材の股下側先端部分及び前記１対の第２引張り部材の股下側先端部分が前記体形補整部材から前方に突出している部分においては、前記体形補整部材が前記パンツの内側の左右方向股下部分に縫付けられていないものである。
【００１１】
請求項７の発明にかかる体形補整部材付きパンツは、請求項６の構成において、前記１対の第２ヨーク部材の先端部分が前記１対のまたは一体の前シック布の最前部に縫付けられているものである。
【００１２】
請求項８の発明にかかる体形補整部材付きパンツは、請求項６または請求項７の構成において、前記１対のまたは一体の前シック布の前記パンツの内側に縫付けられていない部分はバイアスになっているものである。
【００１３】
請求項９の発明にかかる体形補整部材付きパンツは、請求項１乃至請求項８のいずれか１つの構成において、前記体形補整部材が前記パンツの両脇部分内側に縫付けられる際に、前記パンツの両脇部分において前記体形補整部材にキセを設けたものである。
【００１４】
請求項１０の発明にかかる体形補整部材付きパンツは、請求項２乃至請求項９のいずれか１つの構成において、前記１対の第２ヨーク部材の脇側先端部分、または前記１対の第２ヨーク部材の脇側先端部分及び前記１対の第２引張り部材の脇側先端部分が前記体形補整部材から前方に大きく突出して前記パンツの前中心内側に縫付けられており、前記１対の第２ヨーク部材の脇側先端部分が前記体形補整部材から突出する部分においては前記体形補整部材が前記パンツの両脇部分内側に縫付けられていないものである。
【００１５】
請求項１１の発明にかかる体形補整部材付きパンツは、請求項２乃至請求項９のいずれか１つの構成において、前記１対の第２ヨーク部材の脇側先端部分、または前記１対の第２ヨーク部材の脇側先端部分及び前記１対の第２引張り部材の脇側先端部分が前記体形補整部材から前方に大きく突出して、前記１対の脇側先端部分に１対の調節機能付き接続具が取付けられており、前記１対の脇側先端部分は前記パンツの前中心近傍内側において１対のストッパ部材により吊り下げ支持されており、前記１対の第２ヨーク部材の脇側先端部分、または前記１対の第２ヨーク部材の脇側先端部分及び前記１対の第２引張り部材の脇側先端部分は、前記１対の調節機能付き接続具によって引き締め力を調節しながら接続可能に構成されており、前記１対の第２ヨーク部材の脇側先端部分が前記体形補整部材から突出する部分においては前記体形補整部材が前記パンツの両脇部分内側に縫付けられていないものである。
【００１６】
請求項１２の発明にかかる体形補整部材付きパンツは、請求項５乃至請求項１１のいずれか１つの構成において、前記１対の第２引張り部材の股下側先端部分及び／または脇側先端部分が前記１対の第２ヨーク部材の股下側先端部分及び／または脇側先端部分よりも短く、前記１対の第２ヨーク部材の途中に縫付けられているものである。
【００１７】
請求項１３の発明にかかる体形補整部材付きパンツは、請求項４乃至請求項１２のいずれか１つの構成において、前記第１引張り部材及び／または前記第２引張り部材の中間部分には１対以上の枝部分が設けられており、前記枝部分は前記体形補整部材、前記第２ヨーク部材、または前記第１ヨーク部材の表側または裏側に縫付けられているものである。
【００１８】
請求項１４の発明にかかる体形補整部材付きパンツは、請求項１乃至請求項１３のいずれか１つの構成において、前記体形補整部材の股下部分の後中心左右に一端が縫付けられた伸縮性生地からなる１対の帯状部材を具備し、前記帯状部材は前記体形補整部材の股下部分から前記パンツ内側の前方へ出て、前記パンツ内側の左右脚部付け根部分を一周し、前記体形補整部材の脚部に縫付けられ、再び前記パンツ内側の股下部分から前方へ出て前記パンツ内側の前中心両側に沿って上方へ上り、他端が前記パンツ内側の上端に縫付けられているものである。
【００１９】
請求項１５の発明にかかる体形補整部材付きパンツは、請求項１乃至請求項１４のいずれか１つの構成において、前記伸縮性生地はサテンネット（ストレッチサテン）、パワーネット、ストレッチネット、ストレッチレースのいずれかであるものである。
【発明の効果】
【００２０】
請求項１の発明にかかる体形補整部材付きパンツは、伸縮性生地からなりガードルの後半分の形状を有する体形補整部材と、その表側または裏側に左右対称に縫付けられた伸縮性生地からなる１対の第１ヨーク部材とを具備し、第１ヨーク部材は上端が体形補整部材の上端に達するとともに下方部分が拡がって体形補整部材表側または裏側の脚部の後部付け根部分を覆うように縫付けられ、体形補整部材は、パンツのウエストベルト内側の後半分とパンツの両脇部分内側とパンツの股下部分内側とにおいて、パンツの内側に縫付けられている。
【００２１】
ここで、「パンツ」としては、紳士用ズボン、婦人用パンツ、パンタロン、スラックス、Ｇパン、短パン、オーバーオール等が含まれる。また、「伸縮性生地」としては、例えば、サテンネット（ストレッチサテン）、パワーネット、ストレッチネット、ストレッチレース、等がある。
【００２２】
さらに、体形補整部材と１対の第１ヨーク部材とは同じ種類の伸縮性生地からなるものでも良く、異なる種類の伸縮性生地からなるものでも良い。また、第１ヨーク部材は引張り力を掛けない状態で体形補整部材に縫付けられても良いし、引張り力を掛けながら体形補整部材に縫付けられても良い。
【００２３】
これによって、１対の第１ヨーク部材でヒップが締め付けられ持上げられる効果が強力になり、ヒップの丸みが強調されるとともにヒップアップの効果が顕著に得られる。しかも、パンツの内側の後半分にのみ体形補整部材及び１対の第１ヨーク部材が縫付けられているため、着用・脱衣が極めて容易である。
【００２４】
このようにして、パンツの内側後半分に伸縮性生地からなる体形補整部材を取付けて締め付けることによって、着用・脱衣が極めて容易であるにも関わらず、着用するだけで臀部の弛みを強力に引き上げてヒップアップさせることができ、しかもパンツの表側に皺等がよるのを防いで見栄えを損なうことがない体形補整部材付きパンツとなる。
【００２５】
請求項２の発明にかかる体形補整部材付きパンツは、伸縮性生地からなりガードルの後半分の形状を有する体形補整部材と、その表側または裏側に体形補整部材の脚部の付け根部分に左右対称に縫付けられた伸縮性生地からなる１対の第２ヨーク部材とを具備する体形補整部材付きパンツであって、体形補整部材は、パンツのウエストベルト内側の後半分とパンツの両脇部分内側とパンツの股下部分内側とにおいて、パンツの内側に縫付けられている。
【００２６】
ここで、体形補整部材と１対の第２ヨーク部材とは同じ種類の伸縮性生地からなるものでも良く、異なる種類の伸縮性生地からなるものでも良い。また、第２ヨーク部材は引張り力を掛けない状態で体形補整部材に縫付けられても良いし、引張り力を掛けながら体形補整部材に縫付けられても良い。
【００２７】
これによって、１対の第１ヨーク部材の代わりに１対の第２ヨーク部材でヒップが締め付けられ持上げられる効果が強力になり、ヒップの丸みが強調されるとともにヒップアップの効果が顕著に得られる。しかも、パンツの内側の後半分にのみ体形補整部材及び１対の第２ヨーク部材が縫付けられているため、着用・脱衣が極めて容易である。
【００２８】
このようにして、パンツの内側後半分に伸縮性生地からなる体形補整部材を取付けて締め付けることによって、着用・脱衣が極めて容易であるにも関わらず、着用するだけで臀部の弛みを引き上げてヒップアップさせることができ、しかもパンツの表側に皺等がよるのを防いで見栄えを損なうことがない体形補整部材付きパンツとなる。
【００２９】
請求項３の発明にかかる体形補整部材付きパンツは、伸縮性生地からなりガードルの後半分の形状を有する体形補整部材と、その表側または裏側に左右対称に縫付けられた伸縮性生地からなる１対の第１ヨーク部材と、体形補整部材の表側または裏側に体形補整部材の脚部の付け根部分に左右対称に縫付けられた伸縮性生地からなる１対の第２ヨーク部材とを具備する体形補整部材付きパンツであって、第１ヨーク部材は上端が体形補整部材の上端に達するとともに下方部分が拡がって体形補整部材表側または裏側の脚部の後部付け根部分を覆うように縫付けられ、体形補整部材は、パンツのウエストベルト内側の後半分とパンツの両脇部分内側とパンツの股下部分内側とにおいて、パンツの内側に縫付けられている。
【００３０】
ここで、体形補整部材と１対の第１ヨーク部材と１対の第２ヨーク部材とは同じ種類の伸縮性生地からなるものでも良く、異なる種類の伸縮性生地からなるものでも良い。また、第１ヨーク部材と第２ヨーク部材は、引張り力を掛けない状態で体形補整部材に縫付けられても良いし、引張り力を掛けながら体形補整部材に縫付けられても良い。
【００３１】
これによって、１対の第１ヨーク部材と１対の第２ヨーク部材と合わせてヒップが締め付けられ持上げられる効果がさらに強力になり、ヒップの丸みがより強調されるとともにヒップアップの効果がより顕著に得られる。しかも、パンツの内側の後半分にのみ体形補整部材及び１対の第１ヨーク部材と１対の第２ヨーク部材が縫付けられているため、着用・脱衣が極めて容易である。
【００３２】
このようにして、パンツの内側後半分に伸縮性生地からなる体形補整部材を取付けて締め付けることによって、着用・脱衣が極めて容易であるにも関わらず、着用するだけで臀部の弛みをより強力に引き上げてヒップアップさせることができ、しかもパンツの表側に皺等がよるのを防いで見栄えを損なうことがない体形補整部材付きパンツとなる。
【００３３】
請求項４の発明にかかる体形補整部材付きパンツは、体形補整部材と第１ヨーク部材との間に挟み込まれ、両端を体形補整部材に縫付けられた伸縮性生地からなる１対の第１引張り部材を具備する。
【００３４】
ここで、体形補整部材と１対の第１ヨーク部材と１対の第１引張り部材とは、全て同じ種類の伸縮性生地からなるものでも良く、それぞれ異なる種類の伸縮性生地からなるものでも良く、これらのうち２つが同じ種類の伸縮性生地からなるものでも良い。また、第１引張り部材は引張り力を掛けながら体形補整部材の表側または裏側に縫付けられ、第１ヨーク部材は第１引張り部材の上から縫付ける場合には、通常は引張り力を掛けない状態で体形補整部材に縫付けられるが、引張り力を掛けながら縫付けても良い。
【００３５】
第１ヨーク部材は体形補整部材の脚部の後部付け根部分を覆うように縫付けられており、上端が下着本体の上端に達しているので、着用者の臀部を上方へ引上げる働きをする。また、第１引張り部材は引張り力が付与された状態で上端と下端のみが縫付けられているので、ヒップアップの効果が一層強化される。しかも、パンツの内側の後半分にのみ体形補整部材及び１対の第１ヨーク部材及び１対の第１引張り部材が縫付けられているため、着用・脱衣が極めて容易である。
【００３６】
このようにして、パンツの内側後半分に伸縮性生地からなる体形補整部材を取付けて締め付けることによって、着用・脱衣が極めて容易であるにも関わらず、着用するだけで臀部の弛みをさらに強力に引き上げてヒップアップさせることができ、しかもパンツの表側に皺等がよるのを防いで見栄えを損なうことがない体形補整部材付きパンツとなる。
【００３７】
請求項５の発明にかかる体形補整部材付きパンツは、体形補整部材と第２ヨーク部材との間に挟み込まれ、両端を体形補整部材に縫付けられた伸縮性生地からなる１対の第２引張り部材を具備する。
【００３８】
ここで、体形補整部材と１対の第２ヨーク部材と１対の第２引張り部材とは、全て同じ種類の伸縮性生地からなるものでも良く、それぞれ異なる種類の伸縮性生地からなるものでも良く、これらのうち２つが同じ種類の伸縮性生地からなるものでも良い。また、第２引張り部材は引張り力を掛けながら体形補整部材の表側または裏側に縫付けられ、第２ヨーク部材は第２引張り部材の上から縫付ける場合には、通常は引張り力を掛けない状態で体形補整部材に縫付けられるが、引張り力を掛けながら縫付けても良い。
【００３９】
第２ヨーク部材は体形補整部材の脚部の後部付け根部分に沿って縫付けられているので、着用者の臀部を上方へ引上げる働きをする。また、第２引張り部材は引張り力が付与された状態で上端と下端のみが縫付けられているので、ヒップアップの効果が一層強化される。しかも、パンツの内側の後半分にのみ体形補整部材及び１対の第２ヨーク部材及び１対の第２引張り部材が縫付けられているため、着用・脱衣が極めて容易である。
【００４０】
このようにして、パンツの内側後半分に伸縮性生地からなる体形補整部材を取付けて締め付けることによって、着用・脱衣が極めて容易であるにも関わらず、着用するだけで臀部の弛みをさらに強力に引き上げてヒップアップさせることができ、しかもパンツの表側に皺等がよるのを防いで見栄えを損なうことがない体形補整部材付きパンツとなる。
【００４１】
請求項６の発明にかかる体形補整部材付きパンツは、パンツの前後方向股下部分内側の両側及び左右方向股下部分内側に縫付けられた略三角形状の１対のまたは一体の前シック布を具備し、１対の第２ヨーク部材の股下側先端部分、または１対の第２ヨーク部材の股下側先端部分及び１対の第２引張り部材の股下側先端部分が体形補整部材から前方に突出して、前シック布のパンツの内側に縫付けられていない部分に縫付けられており、１対の第２ヨーク部材の股下側先端部分、または１対の第２ヨーク部材の股下側先端部分及び１対の第２引張り部材の股下側先端部分が体形補整部材から前方に突出している部分においては、体形補整部材がパンツの内側の左右方向股下部分に縫付けられていない。
【００４２】
上記請求項１〜請求項５にかかる発明においては、体形補整部材がパンツの内側の後半分のみに縫付けられているために、体形補整部材及び第１ヨーク部材、第２ヨーク部材、第１引張り部材、第２引張り部材等の引張り力がパンツの後半分に留まるため、ヒップアップの効果をより向上させるためには、第２ヨーク部材、第２引張り部材等を股下前半分まで引き伸ばすことが有効と考えられる。しかし、第２ヨーク部材、第２引張り部材等を前方に伸ばしてそのままパンツの内側に縫付けたのでは、第２ヨーク部材、第２引張り部材等の引張り力がパンツの股下部分に掛かって、パンツの表側に響いて皺になる恐れがある。尤も、皺になるのはパンツの股下部分であるから、通常は殆ど見えない部分であるが、それでも見栄えを損ねるとして問題になる場合がある。
【００４３】
そこで、本発明においては、パンツの前後方向股下部分内側の両側に前シック布を縫付け、この前シック布に１対の第２ヨーク部材の股下側先端部分、またはさらに合わせて１対の第２引張り部材の股下側先端部分を縫付け、体形補整部材の股下中間部分はパンツの内側の左右方向股下部分に縫付けないことによって、前シック布で第２ヨーク部材、第２引張り部材の引張り力を受けて、パンツの股下部分に掛かる引張り力を減少させることができ、パンツの股下部分表側に皺が生ずるのを防止することができる。
【００４４】
さらに、前シック布に１対の第２ヨーク部材の股下側先端部分、またはさらに合わせて１対の第２引張り部材の股下側先端部分を縫付けたことによって、普段鍛えられていない太もも内側の内転筋が締付けられるとともに引き上げられるため、着用して歩くだけで内転筋が鍛えられてシェイプアップされ、太ももをスリムにする効果をも具備する。
【００４５】
このようにして、パンツの内側後半分に伸縮性生地からなる体形補整部材を取付けて締め付けることによって、着用・脱衣が極めて容易であるにも関わらず、着用するだけで臀部の弛みをより強力に引き上げてより効果的にヒップアップさせることができ、さらに着用して歩行するだけで内転筋が鍛えられて太ももがシェイプアップされて美しいプロポーションを得ることができ、着用感も一段と向上し、しかもパンツの表側に皺等がよるのを防いで見栄えを損なうことがない体形補整部材付きパンツとなる。
【００４６】
請求項７の発明にかかる体形補整部材付きパンツは、１対の第２ヨーク部材の先端部分が１対のまたは一体の前シック布の最前部に縫付けられている。したがって、請求項６に記載の発明の効果に加えて、１対の第２ヨーク部材が体形補整部材を引張る力がより大きくなり、最大限のヒップアップ効果を得ることができる。
【００４７】
さらに、前シック布に１対の第２ヨーク部材の股下側先端部分、またはさらに合わせて１対の第２引張り部材の股下側先端部分を縫付けたことによって、普段鍛えられていない太もも内側の内転筋が締付けられるとともに引き上げられるため、着用して歩くだけで内転筋が鍛えられてシェイプアップされ、太ももをスリムにする効果をも具備する。
【００４８】
このようにして、パンツの内側後半分に伸縮性生地からなる体形補整部材を取付けて締め付けることによって、着用・脱衣が極めて容易であるにも関わらず、着用するだけで臀部の弛みをより強力に引き上げてより効果的にヒップアップさせることができ、さらに着用して歩行するだけで内転筋が鍛えられて太ももがシェイプアップされて美しいプロポーションを得ることができ、着用感も一段と向上し、しかもパンツの表側に皺等がよるのを防いで見栄えを損なうことがない体形補整部材付きパンツとなる。
【００４９】
請求項８の発明にかかる体形補整部材付きパンツは、１対のまたは一体の前シック布のパンツの内側に縫付けられていない部分はバイアスになっている。このように、前シック布を二重にすることによって、伸縮性の少ない生地からなる前シック布の第２ヨーク部材先端部分が縫付けられる部分が強化され、前シック布で体形補整部材、第１ヨーク部材、第２ヨーク部材、第１引張り部材、第２引張り部材の引張り力をより確実に受けて、パンツの股下部分に掛かる引張り力を減少させ、パンツの股下部分表側に皺が生ずるのを防止することができる。
【００５０】
さらに、前シック布に１対の第２ヨーク部材の股下側先端部分、またはさらに合わせて１対の第２引張り部材の股下側先端部分を縫付けたことによって、普段鍛えられていない太もも内側の内転筋が締付けられるとともに引き上げられるため、着用して歩くだけで内転筋が鍛えられてシェイプアップされ、太ももをスリムにする効果をも具備する。
【００５１】
このようにして、パンツの内側後半分に伸縮性生地からなる体形補整部材を取付けて締め付けることによって、着用・脱衣が極めて容易であるにも関わらず、着用するだけで臀部の弛みをより強力に引き上げてより効果的にヒップアップさせることができ、さらに着用して歩行するだけで内転筋が鍛えられて太ももがシェイプアップされて美しいプロポーションを得ることができ、着用感も一段と向上し、しかもパンツの表側に皺等がよるのを防いで見栄えを損なうことがない体形補整部材付きパンツとなる。
【００５２】
請求項９の発明にかかる体形補整部材付きパンツは、体形補整部材がパンツの両脇部分内側に縫付けられる際に、パンツの両脇部分において体形補整部材にキセを設けたものである。即ち、体形補整部材は左脇においてキセを設けて縫付け糸によってパンツの左脇部分内側に縫付けられ、右脇においても同様にキセを設けて縫付け糸によってパンツの右脇部分内側に縫付けられている。
【００５３】
これによって、ウエスト周りやヒップサイズの大きな人が着用した場合でも、体形補整部材にキセの分だけ余裕があるため体形補整部材に過剰な引張り力がかかることなく、パンツの表側から見た形状が崩れることもなく、適度な引張り力で体形補整部材によるヒップアップの効果を得ることができる。
【００５４】
このようにして、パンツの内側後半分に伸縮性生地からなる体形補整部材を取付けて締め付けることによって、着用・脱衣が極めて容易であるにも関わらず、着用するだけで臀部の弛みを引き上げてヒップアップさせることができ、しかもパンツの表側に皺等がよるのを防いで見栄えを損なうことがない体形補整部材付きパンツとなる。
【００５５】
請求項１０の発明にかかる体形補整部材付きパンツは、１対の第２ヨーク部材の脇側先端部分、または１対の第２ヨーク部材の脇側先端部分及び１対の第２引張り部材の脇側先端部分が体形補整部材から前方に大きく突出してパンツの前中心内側に縫付けられており、１対の第２ヨーク部材の脇側先端部分が体形補整部材から突出する部分においては体形補整部材がパンツの両脇部分内側に縫付けられていない。
【００５６】
これによって、体形補整部材が１対の第２ヨーク部材によって引上げられて、ヒップアップの効果がより一層向上するとともに、着用者の腹部が１対の第２ヨーク部材の脇側先端部分によって締め付けられて、腹部の弛みを引き締める効果も得ることができる。
【００５７】
このようにして、パンツの内側後半分に伸縮性生地からなる体形補整部材を取付けて締め付けることによって、着用・脱衣が極めて容易であるにも関わらず、着用するだけで臀部の弛みをより強力に引き上げてより効果的にヒップアップさせることができ、しかも腹部の弛みを引き締める効果も得ることができる体形補整部材付きパンツとなる。
【００５８】
請求項１１の発明にかかる体形補整部材付きパンツは、１対の第２ヨーク部材の脇側先端部分、または１対の第２ヨーク部材の脇側先端部分及び１対の第２引張り部材の脇側先端部分が体形補整部材から前方に大きく突出して、１対の脇側先端部分に１対の調節機能付き接続具が取付けられており、１対の脇側先端部分はパンツの前中心近傍内側において１対のストッパ部材により吊り下げ支持されており、１対の第２ヨーク部材の脇側先端部分、または１対の第２ヨーク部材の脇側先端部分及び１対の第２引張り部材の脇側先端部分は、１対の調節機能付き接続具によって引き締め力を調節しながら接続可能に構成されており、１対の第２ヨーク部材の脇側先端部分が体形補整部材から突出する部分においては体形補整部材がパンツの両脇部分内側に縫付けられていない。
【００５９】
ここで、「１対の調節機能付き接続具」としては、複数の接続位置に取付けられたホックまたはメンカンを有するカギホック、１対の接着布（マジックテープ（登録商標））、複数の接続位置に取付けられた凹側ドット釦または凸側ドット釦を有する１対のドット釦付き布、１対のフックアイテープ、１対のグリッパーテープ、１対のファッションミニバックル、１対のスナップテープ、等を用いることができる。
【００６０】
これによって、体形補整部材が１対の第２ヨーク部材によって引上げられて、ヒップアップの効果が一層向上するとともに、着用者の腹部が１対の第２ヨーク部材の脇側先端部分によって締め付けられて、腹部の弛みを引き締める効果も得ることができる。しかも、１対の第２ヨーク部材の脇側先端部分は１対の調節機能付き接続具によって引き締め力を調節しながら接続されるため、適度なヒップアップの効果及び腹部の引き締め効果を得ることができる。
【００６１】
このようにして、パンツの内側後半分に伸縮性生地からなる体形補整部材を取付けて締め付けることによって、着用・脱衣が極めて容易であるにも関わらず、着用するだけで臀部の弛みを引き上げてヒップアップさせることができ、しかも腹部の弛みを引き締める効果も得ることができる体形補整部材付きパンツとなる。
【００６２】
請求項１２の発明にかかる体形補整部材付きパンツは、１対の第２引張り部材の股下側先端部分及び／または脇側先端部分が１対の第２ヨーク部材の股下側先端部分及び／または脇側先端部分よりも短く、１対の第２ヨーク部材の途中に縫付けられている。
【００６３】
第２引張り部材の引張り力は第２ヨーク部材の引張り力よりも強いため、同じ長さまで引張って取付けると引張り力が過剰になる可能性がある。また、第２引張り部材の引張り力は第２ヨーク部材の途中まで掛けるだけで十分な場合が多い。そこで、第２引張り部材の股下側先端部分及び／または脇側先端部分を第２ヨーク部材の股下側先端部分及び／または脇側先端部分よりも短くして、第２ヨーク部材の途中に縫付けることによって、パンツの表側に引張り力が響いて皺が生じる事態を確実に防止しつつ、より効果的にヒップアップさせることができる。
【００６４】
このようにして、パンツの内側後半分に伸縮性生地からなる体形補整部材を取付けて締め付けることによって、着用・脱衣が極めて容易であるにも関わらず、着用するだけで臀部の弛みを引き上げてヒップアップさせることができ、しかもパンツの表側に皺等がよるのを防いで見栄えを損なうことがない体形補整部材付きパンツとなる。
【００６５】
請求項１３の発明にかかる体形補整部材付きパンツは、第１引張り部材及び／または第２引張り部材の中間部分には１対以上の枝部分が設けられており、枝部分は体形補整部材、第２ヨーク部材、または第１ヨーク部材の表側または裏側に縫付けられている。
【００６６】
これによって、上端と下端しか縫付けられていなかった第１・第２引張り部材が中間部分においても補助的に縫付けられることになり、体形補整部材と第１ヨーク部材または第２ヨーク部材との間、或いは第１ヨーク部材と第２ヨーク部材との間において捩れてしまう事態が防止され、特に体形補整部材付きパンツを洗濯する場合に捩れてしまう事態を防止することができる。
【００６７】
このようにして、パンツの内側後半分に伸縮性生地からなる体形補整部材を取付けて締め付けることによって、着用・脱衣が極めて容易であるにも関わらず、着用するだけで臀部の弛みを引き上げてヒップアップさせることができ、しかも引張り部材が捩れてしまうこともない体形補整部材付きパンツとなる。
【００６８】
請求項１４の発明にかかる体形補整部材付きパンツは、体形補整部材の股下部分の後中心左右に一端が縫付けられた伸縮性生地からなる１対の帯状部材を具備し、帯状部材は体形補整部材の股下部分からパンツ内側の前方へ出て、パンツ内側の左右脚部付け根部分を一周し、体形補整部材の脚部に縫付けられ、再びパンツ内側の股下部分から前方へ出てパンツ内側の前中心両側に沿って上方へ上り、他端がパンツ内側の上端に縫付けられている。
【００６９】
ここで、「帯状部材」は１枚の伸縮性生地からなるものでも良いし、２枚以上の伸縮性生地を重ねて縫合わせて構成しても良いし、１枚の伸縮性生地を二つ折り、三つ折り、四つ折り等して構成しても良い。
【００７０】
これによって、パンツ内側に縫付けられていない体形補整部材の脚部が伸縮性を有する帯状部材によって押え付けられるため、体形補整部材付きパンツの着用が一層容易になる。また、この帯状部材によってパンツの型が崩されず見栄えが良好に保たれるとともに、帯状部材の他端がパンツ内側の上端に縫付けられていることから、ヒップアップの効果もより向上する。さらに、この帯状部材を取付けたことによって、普段鍛えられていない太もも内側の内転筋が締付けられるとともに引き上げられるため、着用して歩くだけで内転筋が鍛えられてシェイプアップされ、太ももをスリムにする効果をも具備する。
【００７１】
このようにして、パンツの内側後半分に伸縮性生地からなる体形補整部材を取付けて締め付けることによって、着用・脱衣が極めて容易であるにも関わらず、着用するだけで臀部の弛みを引き上げてヒップアップさせることができ、さらに着用して歩行するだけで内転筋が鍛えられて太ももがシェイプアップされて美しいプロポーションを得ることができ、着用感も一段と向上し、しかもパンツの表側に皺等がよるのを防いで見栄えを損なうことがない体形補整部材付きパンツとなる。
【００７２】
請求項１５の発明にかかる体形補整部材付きパンツは、伸縮性生地がサテンネット（ストレッチサテン）、パワーネット、ストレッチネット、ストレッチレースのいずれかである。
【００７３】
即ち、体形補整部材がサテンネット（ストレッチサテン）、パワーネット、ストレッチネット、ストレッチレースのいずれかからなり、第１ヨーク部材がサテンネット、パワーネット、ストレッチネット、ストレッチレースのいずれかからなり、第２ヨーク部材がサテンネット、パワーネット、ストレッチネット、ストレッチレースのいずれかからなり、第１引張り部材がサテンネット、パワーネット、ストレッチネット、ストレッチレースのいずれかからなり、第２引張り部材がサテンネット、パワーネット、ストレッチネット、ストレッチレースのいずれかからなり、帯状部材がサテンネット、パワーネット、ストレッチネット、ストレッチレースのいずれかからなる。
【００７４】
サテンネット（ストレッチサテン）、パワーネット、ストレッチネット、ストレッチレースは、いずれも伸縮性を有し、入手も容易であるため、体形補整部材付きパンツの各部材を構成するのに適している。したがって、上記の如く、各部材について全ての組み合わせが可能であるが、特に引張り部材のように強力な引張り力が必要な部材には、最も伸縮性の強いサテンネット（ストレッチサテン）を用いるのがより好ましい。
【００７５】
このようにして、パンツの内側後半分に伸縮性生地からなる体形補整部材を取付けて締め付けることによって、着用・脱衣が極めて容易であるにも関わらず、着用するだけで臀部の弛みを引き上げてヒップアップさせることができる体形補整部材付きパンツとなる。
【発明を実施するための最良の形態】
【００７６】
以下、本発明の実施の形態について、図面を参照しつつ説明する。
【００７７】
実施の形態１
まず、本発明の実施の形態１について、図１及び図２を参照して説明する。図１（ａ）は本発明の実施の形態１にかかる体形補整部材付きパンツの全体構成を示す体形補整部材付きパンツを裏返して後部から見た背面図、（ｂ）は体形補整部材付きパンツの上部を表から見て示す部分正面図、（ｃ）は体形補整部材付きパンツの上部を表から見て示す部分背面図、（ｄ）は体形補整部材付きパンツの脇部分を内側から見て示す部分拡大図である。図２は本発明の実施の形態１の変形例にかかる体形補整部材付きパンツの全体構成を示す体形補整部材付きパンツを裏返して後部から見た背面図である。
【００７８】
図１（ａ）に示されるように、本実施の形態１にかかる体形補整部材付きパンツ１は、パンツとしてのＧパン２の背面部裏側に、伸縮性生地としてのサテンネット（ストレッチサテン）からなるガードルの後半分の形状を有する体形補整部材３が縫付けられており、さらにこの体形補整部材３の内側（Ｇパン２側）には、破線で示されるように伸縮性生地としてのサテンネットからなる１対の第１ヨーク部材４Ａ，４Ｂ及び伸縮性生地としてのサテンネットからなる１対の第２ヨーク部材５Ａ，５Ｂが縫付けられている。
【００７９】
なお、図１（ａ）においては、１対の第１ヨーク部材４Ａ，４Ｂ及び１対の第２ヨーク部材５Ａ，５Ｂが縫付けられている線としてステッチ様の破線を用いているが、実際には１対の第１ヨーク部材４Ａ，４Ｂ及び１対の第２ヨーク部材５Ａ，５Ｂはいずれも体形補整部材３にジグザグ縫いされており、このようなガードル等の伸縮性生地を縫付ける場合にジグザグ縫いすることは、当業者の間では周知の事項であるため、図の見易さを重視してこのように図示した。以降の各図においても、同様である。
【００８０】
第１ヨーク部材４Ａ，４Ｂは、上端が体形補整部材３の上端に達するとともに下方部分が拡がって体形補整部材３の脚部３Ａ，３Ｂの付け根部分を覆うように引張り力を掛けながら縫付けられ、第２ヨーク部材５Ａ，５Ｂは、体形補整部材３の脚部３Ａ，３Ｂの付け根部分に左右対称に引張り力を掛けながら縫付けられている。
【００８１】
このように１対の第１ヨーク部材４Ａ，４Ｂ及び１対の第２ヨーク部材５Ａ，５Ｂが縫付けられた体形補整部材３は、上端において縫付け糸２ａによってＧパン２のウエストベルト内側の後半分に縫付けられ、両脇において縫付け糸２ｃ，２ｄによってＧパン２の両脇部分内側に縫付けられ、左右の股下部分において縫付け糸２ｂによってＧパン２の股下部分内側に縫付けられることによって、Ｇパン２の内側に縫付けられている。
【００８２】
したがって、図１（ａ）に示される体形補整部材付きパンツ１を表返して着用することによって、伸縮性生地としてのサテンネットからなる体形補整部材３でヒップが締め付けられ持上げられて、ヒップの丸みが強調されるとともにヒップアップの効果が得られる。しかも、１対の第１ヨーク部材４Ａ，４Ｂ及び１対の第２ヨーク部材５Ａ，５Ｂでヒップが締め付けられ持上げられる効果がさらに強力になり、ヒップの丸みがより強調されるとともにヒップアップの効果がより顕著に得られる。
【００８３】
しかも、図１（ｂ）に示されるように、Ｇパン２の前身頃２Ａには何の部材も取付けられておらず、図１（ｃ）に示されるように、Ｇパン２の後身頃２Ｂの内側にのみ、１対の第１ヨーク部材４Ａ，４Ｂ及び１対の第２ヨーク部材５Ａ，５Ｂが縫付けられた体形補正部材３が縫付けられているため、体形補整部材付きパンツ１の着用・脱衣が極めて容易である。
【００８４】
さらに、図１（ｄ）に示されるように、体形補整部材３は左脇においてキセ７を設けて、縫付け糸２ｄによってＧパン２の左脇部分内側に縫付けられ、右脇においても同様にキセを設けて縫付け糸２ｃによってＧパン２の右脇部分内側に縫付けられているため、ウエスト周りやヒップサイズの大きな人でも体形補整部材３に過剰な引張り力がかかることなく、Ｇパン２の外から見た形状が崩れることがなく、適度な引張り力で体形補整部材３によるヒップアップの効果を得ることができる。
【００８５】
このようにして、本実施の形態１にかかる体形補整部材付きパンツ１においては、パンツとしてのＧパンの内側後半分のみに伸縮性生地としてのサテンネットからなる第１ヨーク部材４Ａ，４Ｂ及び１対の第２ヨーク部材５Ａ，５Ｂが縫付けられた伸縮性生地としてのサテンネットからなる体形補正部材３を縫付けて締め付けることによって、着用・脱衣が極めて容易であるにも関わらず、着用するだけで臀部の弛みを強く引き上げて顕著にヒップアップさせることができ、しかもＧパン２の股下部分表側に皺等がよるのを防いで見栄えを損なうことがない。
【００８６】
次に、本実施の形態１の変形例にかかる体形補整部材付きパンツについて、図２を参照して説明する。図２に示されるように、本実施の形態１の変形例にかかる体形補整部材付きパンツ８は、パンツとしてのＧパン２の背面部裏側に、伸縮性生地としてのサテンネット（ストレッチサテン）からなるガードルの後半分の形状を有する体形補整部材３が縫付けられ、体形補整部材３の内側（Ｇパン２側）には、破線で示されるように伸縮性生地としてのサテンネットからなる１対の第１ヨーク部材４Ａ，４Ｂ及び伸縮性生地としてのサテンネットからなる１対の第２ヨーク部材５Ａ，５Ｂが縫付けられている。第１ヨーク部材４Ａ，４Ｂは、上端が体形補整部材３の上端に達するとともに下方部分が拡がって体形補整部材３の脚部３Ａ，３Ｂの付け根部分を覆うように引張り力を掛けながら縫付けられ、第２ヨーク部材５Ａ，５Ｂは、体形補整部材３の脚部３Ａ，３Ｂの付け根部分に左右対称に引張り力を掛けながら縫付けられている。
【００８７】
ここまでは、上記体形補整部材付きパンツ１と同様であるが、本実施の形態１の変形例にかかる体形補整部材付きパンツ８においては、さらに１対の第２ヨーク部材５Ａ，５Ｂと体形補整部材３の間に、伸縮性生地としてのサテンネット（ストレッチサテン）からなる１対の第２引張り部材９Ａ，９Ｂが挟み込まれ、それぞれ両端が体形補整部材３に縫付けられている。これらの第２引張り部材９Ａ，９Ｂも引張り力を掛けながら縫付けられており、第２引張り部材９Ａ，９Ｂの中間部分には各１対の枝部分１０が設けられていて、これらの枝部分１０は第２ヨーク部材５Ａ，５Ｂが体形補整部材３に縫付けられる際に共に縫付けられる。
【００８８】
このように、第２引張り部材９Ａ，９Ｂの中間部分に各１対の枝部分１０を設けて、両端のみならずこの枝部分１０をも体形補整部材３に縫付けることによって、第２引張り部材９Ａ，９Ｂが体形補整部材３と第２ヨーク部材５Ａ，５Ｂとの間で捩れてしまう事態を確実に防止することができる。特に、体形補整部材付きパンツ８を洗濯する場合に、この捩れ防止効果が有効である。
【００８９】
そして、これらの第２引張り部材９Ａ，９Ｂは引張り力が付与された状態で両端が縫付けられているので、ヒップアップの効果が一層強化される。しかも、上記体形補整部材付きパンツ１と同様に、Ｇパン２の内側の後半分にのみ体形補整部材３、第１ヨーク部材４Ａ，４Ｂ、第２ヨーク部材５Ａ，５Ｂ及び第２引張り部材９Ａ，９Ｂが縫付けられているため、着用・脱衣が極めて容易である。
【００９０】
このようにして、本実施の形態１の変形例にかかる体形補整部材付きパンツ８においては、パンツとしてのＧパン２の内側後半分のみに伸縮性生地としてのサテンネットからなる第１ヨーク部材４Ａ，４Ｂ、第２ヨーク部材５Ａ，５Ｂ、及び第２引張り部材９Ａ，９Ｂが縫付けられた伸縮性生地としてのサテンネットからなる体形補正部材３を縫付けて締め付けることによって、着用・脱衣が極めて容易であるにも関わらず、着用するだけで臀部の弛みをより強く引き上げてより顕著にヒップアップさせることができ、しかもＧパン２の股下部分表側に皺等がよるのを防いで見栄えを損なうことがない。
【００９１】
本実施の形態１においては伸縮性生地として全ての部材にサテンネット（ストレッチサテン）を用いた例について説明したが、その他の伸縮性生地、例えばパワーネット、ストレッチネット、ストレッチレース等を用いることもできるし、本実施の形態１においては体形補正部材３、第１ヨーク部材４Ａ，４Ｂ、第２ヨーク部材５Ａ，５Ｂ、及び第２引張り部材９Ａ，９Ｂの全ての部材に同じ伸縮性生地を用いているが、これら全ての部材がそれぞれ異なる伸縮性生地からなるものでも良いし、２つ若しくは３つの部材が同じ伸縮性生地からなるものでも良い。
【００９２】
また、本実施の形態１においては第１ヨーク部材４Ａ，４Ｂ、第２ヨーク部材５Ａ，５Ｂをともに体形補正部材３に縫付けた例について説明したが、どちらか一方のみを縫付けたものでも良いし、或いは第１ヨーク部材４Ａ，４Ｂも第２ヨーク部材５Ａ，５Ｂも縫付けずに、伸縮性生地からなりガードルの後半分の形状を有する体形補正部材３のみをパンツとしてのＧパン２の後半分内側に縫付けた構成としても、ヒップアップの効果を得ることができる。
【００９３】
さらに、本実施の形態１の変形例においては、体形補正部材３と第２ヨーク部材５Ａ，５Ｂの間に第２引張り部材９Ａ，９Ｂを設けた例について説明したが、体形補正部材３と第１ヨーク部材４Ａ，４Ｂの間に１対の第１引張り部材を設けた構成としても良いし、第１引張り部材と第２引張り部材とを両方設けた構成とすることもできる。また、体形補正部材３と第１ヨーク部材４Ａ，４Ｂと１対の第１引張り部材のみの構成としても良いし、体形補正部材３と第２ヨーク部材５Ａ，５Ｂと第２引張り部材９Ａ，９Ｂのみの構成としても良い。さらに、引張り部材の長さが比較的短く、捩れる心配が少ないため、第２引張り部材９Ａ，９Ｂ及び１対の第１引張り部材に枝部分を必ずしも設けなくても良い。
【００９４】
実施の形態２
次に、本発明の実施の形態２について、図３乃至図５を参照して説明する。図３（ａ）は本発明の実施の形態２にかかる体形補整部材付きパンツの縫製途中段階を示す股下部分の内部拡大図、（ｂ）は体形補整部材付きパンツの完成状態を示す股下部分の内部拡大図である。図４は本発明の実施の形態２の第１変形例にかかる体形補整部材付きパンツを示す股下部分の内部拡大図である。図５は本発明の実施の形態２の第２変形例にかかる体形補整部材付きパンツを示す股下部分の内部拡大図である。
【００９５】
図３（ａ）に示されるように、本実施の形態２にかかる体形補整部材付きパンツは、パンツとしてのＧパン２の前後方向股下部分２Ｅ及び左右方向股下部分２Ｆに、１対の略三角形状の前シック布１２が縫付けられている。これらの前シック布１２は裏地からなり、股下部分２Ｅにも股下部分２Ｆにも縫付けられていない略三角形状の一番長い辺においてバイアスになっている、即ち略三角形状の一番長い辺で裏地が折り返されて二重になっている。
【００９６】
このように１対の前シック布１２が取付けられたＧパン２に、実施の形態１の変形例と同様に伸縮性生地としてのサテンネットからなる第１ヨーク部材４Ａ，４Ｂ、第２ヨーク部材１３Ａ，１３Ｂ、第２引張り部材９Ａ，９Ｂが縫付けられた伸縮性生地としてのサテンネットからなる体形補整部材３が、Ｇパン２の後身頃２Ｂに縫付けられるが、図３（ｂ）に示されるように、第２ヨーク部材１３Ａ，１３Ｂは実施の形態１の変形例と異なり、体形補整部材３の股下側先端から前方へ突出しており、この部分においては、第２ヨーク部材１３Ａ，１３Ｂの突出部分の先端は、引張り力が掛けられた状態で前シック布１２の最前部に縫付けられている。
【００９７】
第２引張り部材９Ａ，９Ｂは、実施の形態１の変形例と同様に体形補整部材３の股下側先端に縫付けられている。そして、１対の第２ヨーク部材１３Ａ，１３Ｂの股下側先端部分が体形補整部材３から前方に突出している部分においては、体形補整部材３がＧパン２の内側の左右方向股下部分２Ｆに縫付けられていない。
【００９８】
上記実施の形態１にかかる体形補整部材付きパンツ１，８においては、体形補整部材３及び第１ヨーク部材４Ａ，４Ｂ、第２ヨーク部材５Ａ，５Ｂ、第２引張り部材９Ａ，９Ｂ等の引張り力がＧパン２の後半分のみに留まっているため、より効果的にヒップアップさせるためには第２ヨーク部材５Ａ，５Ｂ、第２引張り部材９Ａ，９Ｂ等を股下前半分まで引き伸ばすことが有効と考えられる。しかし、第２ヨーク部材５Ａ，５Ｂ、第２引張り部材９Ａ，９Ｂ等を前方に伸ばしてそのままＧパン２の内側に縫付けたのでは、第２ヨーク部材５Ａ，５Ｂ、第２引張り部材９Ａ，９Ｂ等の引張り力がＧパン２の股下部分に掛かって、Ｇパン２の表側に響いて皺になる恐れがある。尤も、皺になるのはＧパン２の股下部分であるから、通常は殆ど見えない部分であるが、それでも見栄えを損ねるとして問題になる場合がある。
【００９９】
そこで、本実施の形態２においては、パンツとしてのＧパン２の前後方向股下部分内側２Ｅの両側に１対の前シック布１２を縫付け、この前シック布１２に１対の第２ヨーク部材１３Ａ，１３Ｂの股下側先端部分を縫付け、第２ヨーク部材１３Ａ，１３Ｂが突出している体形補整部材３の股下中間部分はＧパン２の内側の左右方向股下部分２Ｆに縫付けないことによって、前シック布１２で第２ヨーク部材１３Ａ，１３Ｂ、第２引張り部材９Ａ，９Ｂの引張り力を受けて、Ｇパン２の股下部分に掛かる引張り力を減少させることができ、ヒップアップの効果を向上させながらＧパン２の股下部分表側に皺が生ずるのを防止することができる。
【０１００】
さらに、前シック布１２に１対の第２ヨーク部材１３Ａ，１３Ｂの股下側先端部分を縫付けたことによって、普段鍛えられていない太もも内側の内転筋が締付けられるとともに引き上げられるため、着用して歩くだけで内転筋が鍛えられてシェイプアップされ、太ももをスリムにする効果をも具備する。
【０１０１】
このようにして、本実施の形態２にかかる体形補整部材付きパンツ１１においては、Ｇパン２の内側後半分に伸縮性生地からなる体形補整部材３を取付けて締め付けることによって、着用・脱衣が極めて容易であるにも関わらず、着用するだけで臀部の弛みをより強力に引き上げてより効果的にヒップアップさせることができ、さらに着用して歩行するだけで内転筋が鍛えられて太ももがシェイプアップされて美しいプロポーションを得ることができ、着用感も一段と向上し、しかもＧパン２の股下部分表側に皺等がよるのを防いで見栄えを損なうことがない。
【０１０２】
次に、本実施の形態２の第１変形例にかかる体形補整部材付きパンツについて、図４を参照して説明する。
【０１０３】
図４に示されるように、本実施の形態２の第１変形例にかかる体形補整部材付きパンツ１５においても、パンツとしてのＧパン２の前後方向股下部分２Ｅ及び左右方向股下部分２Ｆに、１対の略三角形状の前シック布１２が縫付けられている。これらの前シック布１２は裏地からなり、股下部分２Ｅにも股下部分２Ｆにも縫付けられていない略三角形状の一番長い辺においてバイアスになっている、即ち略三角形状の一番長い辺で裏地が折り返されて二重になっている。
【０１０４】
このように１対の前シック布１２が取付けられたＧパン２に、本実施の形態２の体形補整部材付きパンツ１１と同様に第１ヨーク部材４Ａ，４Ｂ、第２ヨーク部材１３Ａ，１３Ｂ、第２引張り部材９Ａ，９Ｂが縫付けられた体形補整部材３が、Ｇパン２の後身頃２Ｂに縫付けられるが、図４に示されるように、第２ヨーク部材１３Ａ，１３Ｂは体形補整部材３の股下側先端から前方へ突出しており、この第２ヨーク部材１３Ａ，１３Ｂの突出部分の先端全線が、前記１対の前シック布１２の股下部分２Ｅにも股下部分２Ｆにも縫付けられていない一番長い辺に沿って縫付けられている。
【０１０５】
第２引張り部材９Ａ，９Ｂは、本実施の形態２の体形補整部材付きパンツ１１と同様に体形補整部材３の股下側先端に縫付けられている。そして、１対の第２ヨーク部材１３Ａ，１３Ｂの股下側先端部分が体形補整部材３から前方に突出している部分においては、体形補整部材３がＧパン２の内側の左右方向股下部分２Ｆに縫付けられていない。
【０１０６】
このように、前シック布１２に１対の第２ヨーク部材１３Ａ，１３Ｂの股下側先端部分を縫付け、第２ヨーク部材１３Ａ，１３Ｂが突出している体形補整部材３の股下中間部分はＧパン２の内側の左右方向股下部分２Ｆに縫付けないことによって、前シック布１２で体形補整部材３、第１ヨーク部材４Ａ，４Ｂ、第２ヨーク部材１３Ａ，１３Ｂ、第２引張り部材９Ａ，９Ｂの引張り力を受けて、Ｇパン２の股下部分に掛かる引張り力を減少させ、Ｇパン２の股下部分表側に皺が生ずるのを防止することができる。
【０１０７】
さらに、前シック布１２に１対の第２ヨーク部材１３Ａ，１３Ｂの股下側先端部分を縫付けたことによって、普段鍛えられていない太もも内側の内転筋が締付けられるとともに引き上げられるため、着用して歩くだけで内転筋が鍛えられてシェイプアップされ、太ももをスリムにする効果をも具備する。
【０１０８】
このようにして、本実施の形態２の第１変形例にかかる体形補整部材付きパンツ１５においては、Ｇパン２の内側後半分に伸縮性生地からなる体形補整部材３を取付けて締め付けることによって、着用・脱衣が極めて容易であるにも関わらず、着用するだけで臀部の弛みを引き上げてヒップアップさせることができ、さらに着用して歩行するだけで内転筋が鍛えられて太ももがシェイプアップされて美しいプロポーションを得ることができ、着用感も一段と向上し、しかもＧパン２の股下部分表側に皺等がよるのを防いで見栄えを損なうことがない。
【０１０９】
次に、本実施の形態２の第２変形例にかかる体形補整部材付きパンツについて、図５を参照して説明する。
【０１１０】
図５に示されるように、本実施の形態２の第２変形例にかかる体形補整部材付きパンツ１７においても、パンツとしてのＧパン２の前後方向股下部分２Ｅ及び左右方向股下部分２Ｆに、１対の略三角形状の前シック布１２が縫付けられている。これらの前シック布１２は裏地からなり、股下部分２Ｅにも股下部分２Ｆにも縫付けられていない略三角形状の一番長い辺においてバイアスになっている、即ち略三角形状の一番長い辺で裏地が折り返されて二重になっている。
【０１１１】
このように１対の前シック布１２が取付けられたＧパン２に、第１ヨーク部材４Ａ，４Ｂ、第２ヨーク部材１３Ａ，１３Ｂ、第２引張り部材１８Ａ，１８Ｂが縫付けられた体形補整部材３が、Ｇパン２の後身頃２Ｂに縫付けられるが、本実施の形態２の第２変形例においては、図５に示されるように、第２ヨーク部材１３Ａ，１３Ｂのみならず第２引張り部材１８Ａ，１８Ｂも体形補整部材３の股下側先端から前方へ突出しており、この第２ヨーク部材１３Ａ，１３Ｂ及び第２引張り部材１８Ａ，１８Ｂの突出部分の先端全線が、前記１対の前シック布１２の股下部分２Ｅにも股下部分２Ｆにも縫付けられていない一番長い辺に沿って縫付けられている。
【０１１２】
さらに、第２ヨーク部材１３Ａ，１３Ｂの先端は引張り力が掛けられた状態で前シック布１２の最前部に縫付けられている。そして、１対の第２ヨーク部材１３Ａ，１３Ｂの股下側先端部分が体形補整部材３から前方に突出している部分においては、体形補整部材３がＧパン２の内側の左右方向股下部分２Ｆに縫付けられていない。
【０１１３】
このように、前シック布１２に１対の第２ヨーク部材１３Ａ，１３Ｂ及び第２引張り部材１８Ａ，１８Ｂの股下側先端部分を縫付け、第２ヨーク部材１３Ａ，１３Ｂが突出している体形補整部材３の股下中間部分はＧパン２の内側の左右方向股下部分２Ｆに縫付けないことによって、前シック布１２で体形補整部材３、第１ヨーク部材４Ａ，４Ｂ、第２ヨーク部材１３Ａ，１３Ｂ、第２引張り部材９Ａ，９Ｂの引張り力をより強力に受けて、Ｇパン２の股下部分に掛かる引張り力をより減少させ、Ｇパン２の股下部分表側に皺が生ずるのを完全に防止することができる。
【０１１４】
さらに、前シック布１２に１対の第２ヨーク部材１３Ａ，１３Ｂ及び第２引張り部材１８Ａ，１８Ｂの股下側先端部分を縫付けたことによって、普段鍛えられていない太もも内側の内転筋が締付けられるとともに引き上げられるため、着用して歩くだけで内転筋が鍛えられてシェイプアップされ、太ももをスリムにする効果をも具備する。
【０１１５】
このようにして、本実施の形態２の第２変形例にかかる体形補整部材付きパンツ１７においては、Ｇパン２の内側後半分に伸縮性生地からなる体形補整部材３を取付けて締め付けることによって、着用・脱衣が極めて容易であるにも関わらず、着用するだけで臀部の弛みを引き上げてヒップアップさせることができ、さらに着用して歩行するだけで内転筋が鍛えられて太ももがシェイプアップされて美しいプロポーションを得ることができ、着用感も一段と向上し、しかもＧパン２の股下部分表側に皺等がよるのを防いで見栄えを損なうことがない。
【０１１６】
本実施の形態２においては伸縮性生地として全ての部材にサテンネット（ストレッチサテン）を用いた例について説明したが、その他の伸縮性生地、例えばパワーネット、ストレッチネット、ストレッチレース等を用いることもできるし、本実施の形態２においては体形補正部材３、第１ヨーク部材４Ａ，４Ｂ、第２ヨーク部材１３Ａ，１３Ｂ、及び第２引張り部材９Ａ，９Ｂ，１８Ａ，１８Ｂの全ての部材に同じ伸縮性生地を用いているが、これら全ての部材がそれぞれ異なる伸縮性生地からなるものでも良いし、２つ若しくは３つの部材が同じ伸縮性生地からなるものでも良い。
【０１１７】
また、本実施の形態２においては、前シック布として左右１対の前シック布１２を用いた場合について説明したが、左右１対の前シック布１２が一体となった形状の１枚の前シック布を用いることもできる。さらに、１対の前シック布１２がそれぞれバイアスに、即ち二重に折り返されてなる場合について説明したが、前シック布は丈夫な生地からなるものであれば、二重にしなくても良い。
【０１１８】
実施の形態３
次に、本発明の実施の形態３について、図６を参照して説明する。図６（ａ）は本発明の実施の形態３にかかる体形補整部材付きパンツを裏返して正面上部を見たところを示す部分正面図、（ｂ）は体形補整部材付きパンツを裏返して背面上部を見たところを示す部分背面図、（ｃ）は体形補整部材付きパンツの前中心両側の内側を広げて見たところを示す部分展開図である。
【０１１９】
図６（ｂ）に示されるように、本実施の形態３にかかる体形補整部材付きパンツ２０は、後から見たところは上記実施の形態１の変形例と同様に、伸縮性生地としてのサテンネットからなる１対の第１ヨーク部材４Ａ，４Ｂ、１対の第２ヨーク部材２１Ａ，２１Ｂ、そして中間部分に各１対の枝部分２３を有する１対の第２引張り部材２２Ａ，２２Ｂが、伸縮性生地としてのサテンネットからなる体形補整部材３に縫付けられ、この体形補整部材３が上端において縫付け糸２ａによってＧパン２のウエストベルト内側の後半分に縫付けられ、両脇において縫付け糸２ｃ，２ｄによってＧパン２の両脇部分内側に縫付けられ、左右方向の股下部分において縫付け糸２ｂによってＧパン２の左右方向股下部分内側に縫付けられることによって、Ｇパン２の内側に縫付けられている。
【０１２０】
しかしながら、図６（ａ）に示されるように、本実施の形態３にかかる体形補整部材付きパンツ２０においては、１対の第２ヨーク部材２１Ａ，２１Ｂ及び１対の第２引張り部材２２Ａ，２２Ｂが大きく前方へ突出しており、１対の第２引張り部材２２Ａ，２２Ｂは前部にももう１対ずつの枝部分２３を有し、１対の第２ヨーク部材２１Ａ，２１Ｂ及び１対の第２引張り部材２２Ａ，２２Ｂの先端は、図６（ｃ）に示されるように、Ｇパン２の前中心２Ｃのファスナー６の左右の縫代６ａ，６ｂにそれぞれ縫付けられている。
【０１２１】
そして、図６（ｃ）に示されるように、１対の第２ヨーク部材２１Ａ，２１Ｂ及び１対の第２引張り部材２２Ａ，２２Ｂの脇側突出部分においては、体形補整部材３はＧパン２の内側に縫付けられておらず、その上下において縫い糸２ｃ，２ｄによって体形補整部材３がＧパン２の脇部内側に縫付けられている。
【０１２２】
これによって、体形補整部材３が１対の第２ヨーク部材２１Ａ，２１Ｂ及び１対の第２引張り部材２２Ａ，２２Ｂによって引上げられて、ヒップアップの効果が一層向上するとともに、着用者の腹部が１対の第２ヨーク部材２１Ａ，２１Ｂ及び１対の第２引張り部材２２Ａ，２２Ｂの脇側先端部分によって締め付けられて、着用者の腹部の弛みを引き締める効果も得ることができる。しかも、体形補整部材３は上記各実施の形態と同様に、Ｇパン２の後半分の内側にのみ縫付けられているので、着用・脱衣が非常に容易である。
【０１２３】
このようにして、本実施の形態３にかかる体形補整部材付きパンツ２０は、パンツとしてのＧパン２の内側後半分に伸縮性生地としてのサテンネットからなる体形補整部材３を取付けるのみならず、１対の第２ヨーク部材２１Ａ，２１Ｂ及び１対の第２引張り部材２２Ａ，２２ＢをＧパン２の前中心２Ｃの両側まで突出させて縫付けることによって、着用・脱衣が極めて容易であるにも関わらず、着用するだけで臀部の弛みをより効果的に引き上げて顕著にヒップアップさせることができ、しかも腹部の弛みを引き締める効果も得ることができる。
【０１２４】
なお、本実施の形態３にかかる体形補整部材付きパンツ２０においては、第２ヨーク部材２１Ａ，２１Ｂ及び第２引張り部材２２Ａ，２２Ｂの先端をＧパン２のファスナー６の左右の縫代６ａ，６ｂに縫付けた場合について説明したが、図６（ａ）に二点鎖線で示されるように、第２ヨーク部材２１Ａ，２１Ｂ及び第２引張り部材２２Ａ，２２Ｂの先端をもっと上げて一部をＧパン２のウエストベルトの裏側に縫付けるようにすることもできる。この場合には、第２ヨーク部材２１Ａ，２１Ｂ及び第２引張り部材２２Ａ，２２Ｂの下辺ももっと上に来ることになる。
【０１２５】
本実施の形態３においては伸縮性生地として全ての部材にサテンネット（ストレッチサテン）を用いた例について説明したが、その他の伸縮性生地、例えばパワーネット、ストレッチネット、ストレッチレース等を用いることもできるし、本実施の形態３においては体形補正部材３、第１ヨーク部材４Ａ，４Ｂ、第２ヨーク部材２１Ａ，２１Ｂ、及び第２引張り部材２２Ａ，２２Ｂの全ての部材に同じ伸縮性生地を用いているが、これら全ての部材がそれぞれ異なる伸縮性生地からなるものでも良いし、２つ若しくは３つの部材が同じ伸縮性生地からなるものでも良い。
【０１２６】
実施の形態４
次に、本発明の実施の形態４について、図７を参照して説明する。図７（ａ）は本発明の実施の形態４にかかる体形補整部材付きパンツを裏返して正面上部を見たところを示す部分正面図、（ｂ）は体形補整部材付きパンツを裏返して背面上部を見たところを示す部分背面図、（ｃ）は体形補整部材付きパンツの前中心両側の内側を拡大して示す部分拡大図である。
【０１２７】
図７（ｂ）に示されるように、本実施の形態４にかかる体形補整部材付きパンツ２５も、後から見たところは上記実施の形態３と同様に、伸縮性生地としてのサテンネットからなる１対の第１ヨーク部材４Ａ，４Ｂ、１対の第２ヨーク部材２１Ａ，２１Ｂ、そして中間部分に各１対の枝部分２３を有する１対の第２引張り部材２２Ａ，２２Ｂが、伸縮性生地としてのサテンネットからなる体形補整部材３に縫付けられ、この体形補整部材３が上端において縫付け糸２ａによってＧパン２のウエストベルト内側の後半分に縫付けられ、両脇において縫付け糸２ｃ，２ｄによってＧパン２の両脇部分内側に縫付けられ、左右方向の股下部分において縫付け糸２ｂによってＧパン２の左右方向股下部分内側に縫付けられることによって、Ｇパン２の内側に縫付けられている。
【０１２８】
しかしながら、図７（ａ）に示されるように、本実施の形態４にかかる体形補整部材付きパンツ２５においても、１対の第２ヨーク部材２１Ａ，２１Ｂ及び１対の第２引張り部材２２Ａ，２２Ｂが大きく前方へ突出しており、１対の第２引張り部材２２Ａ，２２Ｂは１対の第２ヨーク部材２１Ａ，２１Ｂより短く作られており、その先端は引張り力を掛けられた状態で第２ヨーク部材２１Ａ，２１Ｂの途中に縫付けられている。１対の第２ヨーク部材２１Ａ，２１Ｂの先端には、１対の調節機能付き接続具としての１対のカギホック２６Ａ，２６Ｂが取付けられており、その近傍において１対のストッパ部材としてのゴム紐２８Ａ，２８Ｂの下端が第２ヨーク部材２１Ａ，２１Ｂに縫付けられ、ゴム紐２８Ａ，２８Ｂの上端はＧパン２の前中心２Ｃの左右ウエストベルト裏側に縫付けられて、吊り下げ支持されている。
【０１２９】
また、上記実施の形態３と同様に、１対の第２ヨーク部材２１Ａ，２１Ｂ及び１対の第２引張り部材２２Ａ，２２Ｂの脇側突出部分においては、体形補整部材３はＧパン２の内側に縫付けられていない。そして、図７（ｃ）に示されるように、カギホック２６Ａは５個のフック２７Ａが１列に取付けられた布からなり、カギホック２６Ｂは５個ずつのメンカン２７Ｂが３列に取付けられた布からなる。したがって、カギホック２６Ａの５個のフック２７Ａをカギホック２６Ｂのどの列の５個のメンカン２７Ｂに係合させて止めるかによって、１対の第２ヨーク部材２１Ａ，２１Ｂ及び１対の第２引張り部材２２Ａ，２２Ｂによる臀部の引張り力及び腹部を押える力を最適に調節することができる。
【０１３０】
これによって、体形補整部材３が１対の第２ヨーク部材２１Ａ，２１Ｂ及び１対の第２引張り部材２２Ａ，２２Ｂによって適度な引張り力で引上げられて、ヒップアップの効果が一層向上するとともに、着用者の腹部が１対の第２ヨーク部材２１Ａ，２１Ｂ及び１対の第２引張り部材２２Ａ，２２Ｂの脇側先端部分によって締め付けられて、着用者の腹部の弛みを引き締める効果も得ることができる。しかも、体形補整部材３は上記各実施の形態と同様に、Ｇパン２の後半分の内側にのみ縫付けられているので、着用・脱衣が非常に容易である。
【０１３１】
このようにして、本実施の形態４にかかる体形補整部材付きパンツ２５は、パンツとしてのＧパン２の内側後半分に伸縮性生地としてのサテンネットからなる体形補整部材３を取付けるのみならず、１対の第２ヨーク部材２１Ａ，２１Ｂ及び１対の第２引張り部材２２Ａ，２２ＢをＧパン２の前中心２Ｃの両側まで突出させ、１対の調節機能付き接続具としての１対のカギホック２６Ａ，２６Ｂで引張り力を調節しながら接続することによって、着用・脱衣が極めて容易であるにも関わらず、着用するだけで臀部の弛みをより効果的に引き上げて顕著にヒップアップさせることができ、しかも腹部の弛みを引き締める効果も得ることができる。
【０１３２】
本実施の形態４においては、１対の調節機能付き接続具として１対のカギホック２６Ａ，２６Ｂを用いた場合について説明したが、これに限られるものではなく、１対の接着布（マジックテープ（登録商標））、複数の接続位置に取付けられた凹側ドット釦または凸側ドット釦を有する１対のドット釦付き布、１対のフックアイテープ、１対のグリッパーテープ、１対のファッションミニバックル、１対のスナップテープ、等を用いることができる。
【０１３３】
また、本実施の形態４においては、１対の第２引張り部材２２Ａ，２２Ｂを１対の第２ヨーク部材２１Ａ，２１Ｂよりも短くして、先端を１対の第２ヨーク部材２１Ａ，２１Ｂの途中に縫付ける構成としたが、第２引張り部材２２Ａ，２２Ｂを第２ヨーク部材２１Ａ，２１Ｂと同じ長さとして、両者の先端に１対の調節機能付き接続具を取付ける構成としても良い。
【０１３４】
さらに、本実施の形態４においては伸縮性生地として全ての部材にサテンネット（ストレッチサテン）を用いた例について説明したが、その他の伸縮性生地、例えばパワーネット、ストレッチネット、ストレッチレース等を用いることもできるし、本実施の形態４においては体形補正部材３、第１ヨーク部材４Ａ，４Ｂ、第２ヨーク部材２１Ａ，２１Ｂ、及び第２引張り部材２２Ａ，２２Ｂの全ての部材に同じ伸縮性生地を用いているが、これら全ての部材がそれぞれ異なる伸縮性生地からなるものでも良いし、２つ若しくは３つの部材が同じ伸縮性生地からなるものでも良い。
【０１３５】
実施の形態５
次に、本発明の実施の形態５について、図８を参照して説明する。図８（ａ）は本発明の実施の形態５にかかる体形補整部材付きパンツを裏返して正面上部を見たところを示す部分正面図、（ｂ）は体形補整部材付きパンツを裏返して背面上部を見たところを示す部分背面図、（ｃ）は体形補整部材付きパンツの前中心両側の内側を広げて見たところを示す部分展開図である。
【０１３６】
図８（ｂ）に示されるように、本実施の形態５にかかる体形補整部材付きパンツ３０は、後から見たところは上記実施の形態３と同様に、伸縮性生地としてのサテンネットからなる１対の第１ヨーク部材４Ａ，４Ｂ、１対の第２ヨーク部材２１Ａ，２１Ｂ、そして中間部分に各１対の枝部分２３を有する１対の第２引張り部材２２Ａ，２２Ｂが、伸縮性生地としてのサテンネットからなる体形補整部材３に縫付けられ、この体形補整部材３が上端において縫付け糸２ａによってＧパン２のウエストベルト内側の後半分に縫付けられ、両脇において縫付け糸２ｃ，２ｄによってＧパン２の両脇部分内側に縫付けられ、左右方向の股下部分において縫付け糸２ｂによってＧパン２の左右方向股下部分内側に縫付けられることによって、Ｇパン２の内側に縫付けられている。
【０１３７】
そして、図８（ａ）に示されるように、１対の第２ヨーク部材２１Ａ，２１Ｂ及び１対の第２引張り部材２２Ａ，２２Ｂが大きく前方へ突出しており、１対の第２引張り部材２２Ａ，２２Ｂは１対の第２ヨーク部材２１Ａ，２１Ｂより短く作られており、その先端は引張り力を掛けられた状態で第２ヨーク部材２１Ａ，２１Ｂの途中に縫付けられている。さらに、１対の第２ヨーク部材２１Ａ，２１Ｂの先端は、図８（ｃ）に示されるように、Ｇパン２のファスナー６の左右の縫代６ａ，６ｂにそれぞれ縫付けられている。
【０１３８】
本実施の形態５にかかる体形補整部材付きパンツ３０が上記実施の形態３にかかる体形補整部材付きパンツ２０と大きく異なるのは、さらに１対の帯状部材３１Ａ，３１ＢがＧパン２の内側を取り巻いて取付けられている点である。
【０１３９】
これらの１対の帯状部材３１Ａ，３１Ｂは、伸縮性生地としてのサテンネットを二つ折りしてなるものであり、図８（ｃ）に示されるように、一方の端は体形補整部材３の股下部分に縫付けられており、そこから図８（ａ）に示されるように左右に伸びてＧパン２の前部内側を通過し、図８（ｂ）に示されるように、後部に回って体形補整部材３の脚部３Ａ，３Ｂに縫付けられ、内股部分から再び前方に回って、図８（ａ）に示されるように上方に伸びて第２ヨーク部材２１Ａ，２１Ｂの下をくぐり、Ｇパン２のウエストベルト裏側の前中心左右に縫付けられている。
【０１４０】
なお、図８（ａ）に示されるように、１対の帯状部材３１Ａ，３１Ｂの前方に回った部分は、１対の支持部材３２Ａ，３２Ｂによって第２ヨーク部材２１Ａ，２１Ｂに吊り下げ支持されており、この前方に回った部分と上方に伸びた部分とは、交差する部分において互いに縫付けられている。
【０１４１】
これによって、Ｇパン２の内側に縫付けられていない体形補整部材３の脚部３Ａ，３Ｂが伸縮性を有する帯状部材３１Ａ，３１Ｂによって押え付けられるため、体形補整部材付きパンツ３０の着用が一層容易になる。また、この帯状部材３１Ａ，３１ＢによってＧパン２の型が崩されず見栄えが良好に保たれるとともに、帯状部材３１Ａ，３１Ｂの他端がＧパン２内側の上端に縫付けられていることから、ヒップアップの効果もより一層向上する。
【０１４２】
さらに、この帯状部材３１Ａ，３１Ｂを取付けたことによって、普段鍛えられていない太もも内側の内転筋が締付けられるとともに引き上げられるため、着用して歩くだけで内転筋が鍛えられてシェイプアップされ、太ももをスリムにする効果をも具備する。
【０１４３】
また、体形補整部材３が１対の第２ヨーク部材２１Ａ，２１Ｂ及び１対の第２引張り部材２２Ａ，２２Ｂによって引上げられて、ヒップアップの効果が一層向上するとともに、着用者の腹部が１対の第２ヨーク部材２１Ａ，２１Ｂ及び１対の第２引張り部材２２Ａ，２２Ｂの脇側先端部分によって締め付けられて、着用者の腹部の弛みを引き締める効果も得ることができる。しかも、体形補整部材３は上記各実施の形態と同様に、Ｇパン２の後半分の内側にのみ縫付けられているので、着用・脱衣が非常に容易である。
【０１４４】
このようにして、本実施の形態５にかかる体形補整部材付きパンツ３０は、パンツとしてのＧパン２の内側後半分に伸縮性生地としてのサテンネットからなる体形補整部材３を取付けるのみならず、１対の第２ヨーク部材２１Ａ，２１Ｂ及び１対の第２引張り部材２２Ａ，２２ＢをＧパン２の前中心２Ｃの両側まで突出させて縫付け、さらに１対の帯状部材３１Ａ，３１ＢがＧパン２の内側を取り巻いて取付けられていることによって、着用・脱衣が極めて容易であるにも関わらず、着用するだけで臀部の弛みをより効果的に引き上げて顕著にヒップアップさせることができ、さらに着用して歩行するだけで内転筋が鍛えられて太ももがシェイプアップされて美しいプロポーションを得ることができ、着用感も一段と向上し、しかも腹部の弛みを引き締める効果も得ることができる。
【０１４５】
本実施の形態５においては伸縮性生地として全ての部材にサテンネット（ストレッチサテン）を用いた例について説明したが、その他の伸縮性生地、例えばパワーネット、ストレッチネット、ストレッチレース等を用いることもできるし、本実施の形態５においては体形補正部材３、第１ヨーク部材４Ａ，４Ｂ、第２ヨーク部材２１Ａ，２１Ｂ、第２引張り部材２２Ａ，２２Ｂ、及び帯状部材３１Ａ，３１Ｂの全ての部材に同じ伸縮性生地を用いているが、これら全ての部材がそれぞれ異なる伸縮性生地からなるものでも良いし、２つ若しくは３つ若しくは４つの部材が同じ伸縮性生地からなるものでも良い。
【０１４６】
上記各実施の形態においては、体形補整部材付きパンツのパンツとしてＧパン２についてのみ説明したが、パンツとしては他にも、婦人用パンツ・紳士用ズボン・スラックス・パンタロン・短パン・オーバーオール等にも同様に適用することができる。
【０１４７】
また、上記各実施の形態においては、体形補正部材３の両脇にキセ７を設けて縫付けた例について説明したが、キセは必ずしも設けなくても良い。
【０１４８】
体形補整部材付きパンツのその他の部分の構造、形状、数量、材質、大きさ（幅・長さ・厚さ等）、接続関係等についても、上記各実施の形態に限定されるものではない。
【図面の簡単な説明】
【０１４９】
【図１】図１（ａ）は本発明の実施の形態１にかかる体形補整部材付きパンツの全体構成を示す体形補整部材付きパンツを裏返して後部から見た背面図、（ｂ）は体形補整部材付きパンツの上部を表から見て示す部分正面図、（ｃ）は体形補整部材付きパンツの上部を表から見て示す部分背面図、（ｄ）は体形補整部材付きパンツの脇部分を内側から見て示す部分拡大図である。
【図２】図２は本発明の実施の形態１の変形例にかかる体形補整部材付きパンツの全体構成を示す体形補整部材付きパンツを裏返して後部から見た背面図である。
【図３】図３（ａ）は本発明の実施の形態２にかかる体形補整部材付きパンツの縫製途中段階を示す股下部分の内部拡大図、（ｂ）は体形補整部材付きパンツの完成状態を示す股下部分の内部拡大図である。
【図４】図４は本発明の実施の形態２の第１変形例にかかる体形補整部材付きパンツを示す股下部分の内部拡大図である。
【図５】図５は本発明の実施の形態２の第２変形例にかかる体形補整部材付きパンツを示す股下部分の内部拡大図である。
【図６】図６（ａ）は本発明の実施の形態３にかかる体形補整部材付きパンツを裏返して正面上部を見たところを示す部分正面図、（ｂ）は体形補整部材付きパンツを裏返して背面上部を見たところを示す部分背面図、（ｃ）は体形補整部材付きパンツの前中心両側の内側を広げて見たところを示す部分展開図である。
【図７】図７（ａ）は本発明の実施の形態４にかかる体形補整部材付きパンツを裏返して正面上部を見たところを示す部分正面図、（ｂ）は体形補整部材付きパンツを裏返して背面上部を見たところを示す部分背面図、（ｃ）は体形補整部材付きパンツの前中心両側の内側を拡大して示す部分拡大図である。
【図８】図８（ａ）は本発明の実施の形態５にかかる体形補整部材付きパンツを裏返して正面上部を見たところを示す部分正面図、（ｂ）は体形補整部材付きパンツを裏返して背面上部を見たところを示す部分背面図、（ｃ）は体形補整部材付きパンツの前中心両側の内側を広げて見たところを示す部分展開図である。
【符号の説明】
【０１５０】
１，８，１１，１５，１７，２０，２５，３０  体形補整部材付きパンツ
２  パンツ
２Ａ  前身頃
２Ｂ  後身頃
２Ｃ  前中心
２Ｄ  後中心
２Ｅ  前後方向股下
２Ｆ  左右方向股下
３  体形補整部材
３Ａ，３Ｂ  脚部
４Ａ，４Ｂ  第１ヨーク部材
５Ａ，５Ｂ，１３Ａ，１３Ｂ，２１Ａ，２１Ｂ  第２ヨーク部材
７  キセ
９Ａ，９Ｂ，１８Ａ，１８Ｂ，２２Ａ，２２Ｂ  第２引張り部材
１０，２３  枝部分
１２  前シック布
２６Ａ，２６Ｂ  １対の調節機能付き接続具
２７Ａ  複数のフック
２７Ｂ  複数のメンカン
２８Ａ，２８Ｂ  １対のストッパ部材
３１Ａ，３１Ｂ  １対の帯状部材
【図１】
2006299436.tif 000003
【図２】
2006299436.tif 000004
【図３】
2006299436.tif 000005
【図４】
2006299436.tif 000006
【図５】
2006299436.tif 000007
【図６】
2006299436.tif 000008
【図７】
2006299436.tif 000009
【図８】
2006299436.tif 000010